(57)【特許請求の範囲】
【請求項１】
現在位置を示す位置情報に、現在日時を示す日時情報を付加してタイムスタンプ付き経路データを生成する経路データ生成部と、
前記経路データ生成部で生成されたタイムスタンプ付き経路データを記録する経路データ記録装置と、
ネットワークに接続されたデータベースから所定のデータを取得する通信処理部と、
前記通信処理部によって取得された所定のデータと前記経路データ記録装置に記録されているタイムスタンプ付き経路データとを比較する経路比較部と、
前記経路比較部における比較によって接近した場所および日時が存在することが判断された場合に、その旨のメッセージを生成して表示させる表示処理部とを備え、
前記通信処理部は、使用者の所定の操作によって、前記データベースに前記タイムスタンプ付き経路データを送信する処理と、前記データべースとは独立しかつ所定の端末からのみ閲覧可能に設定した他のデータベースに前記使用者の個人情報ならびに前記接近した場所および日時を示すデータを送信する処理とを実行する
ことを特徴とする移動経路処理装置。
【請求項２】
通信処理部は、ネットワークに接続されたデータベースから疫病に感染した者の移動軌跡を表すタイムスタンプ付き経路データ、または、事件等が発生した場所および時間帯を表す場所・時間帯データを取得することを特徴とする請求項１記載の移動経路処理装置。
【請求項３】
所定のデータを記憶したデータベースと、
前記データベースとは独立し、かつ所定の端末からのみ閲覧可能に設定した他のデータベースと、
前記データベースおよび前記他のデータベースにネットワークを介してアクセスする移動経路処理装置とを備え、
前記移動経路処理装置は、
現在位置を示す位置情報に、現在日時を示す日時情報を付加してタイムスタンプ付き経路データを生成する経路データ生成部と、
前記経路データ生成部で生成されたタイムスタンプ付き経路データを記録する経路データ記録装置と、
前記データベースから前記ネットワークを介して前記所定のデータを取得する通信処理部と、
前記通信処理部によって取得された所定のデータと、前記経路データ記録装置に記録されているタイムスタンプ付き経路データとを比較する経路比較部と、
前記経路比較部における比較によって接近した場所および日時が存在することが判断された場合に、その旨のメッセージを生成して表示させる表示処理部とを備え、
前記通信処理部は、使用者の所定の操作によって、前記データベースに前記タイムスタンプ付き経路データを送信する処理と、前記他のデータベースに前記使用者の個人情報ならびに前記接近した場所および日時を示すデータを送信する処理とを実行する
ことを特徴とする情報提供システム。
【請求項４】
データベースは、疫病に感染した者の移動軌跡を表すタイムスタンプ付き経路データを格納することを特徴とする請求項３記載の情報提供システム。
【請求項５】
データベースは、事件等が発生した場所および時間帯を格納することを特徴とする請求項３記載の情報提供システム。
【発明の詳細な説明】
【技術分野】
【０００１】
この発明は、例えばナビゲーション装置などに適用されて移動軌跡を記憶する移動経路処理装置およびこれを用いた情報提供システムに関する。
【背景技術】
【０００２】
近年、新型インフルエンザと呼ばれるインフルエンザＡ型（Ｈ１Ｎ１）が流行し、社会問題となっている。したがって、新型インフルエンザの感染拡大を防止することは最重要課題となっている。感染拡大の防止には感染者の早期発見が必要であり、可能であれば発症前に感染の疑いがある人を隔離することが最も効果的である。そのためには、感染者と濃厚接触した可能性を技術的に検出することが望まれる。【０００３】
また、事件、事故または交通事故（以下、「事件等」という）が発生した場合に、目撃者の証言が事件等の早期解決に結びつくので非常に重要であるが、目撃者の特定が難しいという問題がある。
【先行技術文献】
【特許文献】
【０００４】
【特許文献１】特開平１１−８３５３１号公報
【０００５】
上述した従来の問題を解消するためには、人の移動経路を記憶する必要がある。従来、経路を記憶するための装置としては、例えば特許文献１に開示された情報提供装置が知られている。この情報提供装置は、表示処理部、位置検出部、時計ユニット、位置記憶部、領域幅入力部、位置親密度計算部および位置親密度記憶部を備え、領域幅と位置から位置親密度を計算し、親密度に応じて情報を提供する。【０００６】
この情報提供装置は、上記のように構成されているので、感染者と濃厚接触した可能性を検出できず、また、移動経路と事件等の発生した場所および時間帯とが一致するか否か、つまり事件等を目撃した可能性を検出できないので、これらの検出を可能にする技術の開発が望まれている。【０００７】
この発明は、上述した要請に応えるためになされたものであり、その課題は、感染者と濃厚接触した可能性を検出でき、また、事件等を目撃した可能性を検出できる移動経路処理装置およびこれを用いた情報提供システムを提供することにある。
【発明の概要】
【０００８】
この発明に係る移動経路処理装置は、現在位置を示す位置情報に、現在日時を示す日時情報を付加してタイムスタンプ付き経路データを生成する経路データ生成部と、経路データ生成部で生成されたタイムスタンプ付き経路データを記録する経路データ記録装置と、ネットワークに接続されたデータベースから所定のデータを取得する通信処理部と、通信処理部によって取得された所定のデータと経路データ記録装置に記録されているタイムスタンプ付き経路データとを比較する経路比較部と、経路比較部における比較によって接近した場所および日時が存在することが判断された場合に、その旨のメッセージを生成して表示させる表示処理部とを備え、通信処理部は、使用者の所定の操作によって、データベースにタイムスタンプ付き経路データを送信する処理と、データべースとは独立しかつ所定の端末からのみ閲覧可能に設定した他のデータベースに使用者の個人情報ならびに接近した場所および日時を示すデータを送信する処理とを実行するものである。
【０００９】
この発明に係る移動経路処理装置によれば、現在位置を示す位置情報に、タイムスタンプ付き経路データを生成して記録しておき、ネットワークに接続されたデータベースから取得した所定のデータとタイムスタンプ付き経路データとを比較して接近した状態が存在するか否かを調べ、存在することが判断された場合に、その旨のメッセージを生成して表示させるように構成したので、ユーザは、例えば、新型インフルエンザなどの疫病の感染者と濃厚接触した可能性を知ることができ、また、事件等を目撃した可能性を知ることができる。
【図面の簡単な説明】
【００１０】
【図１】この発明の実施の形態１に係る情報提供システムが適用されたナビゲーションシステムの構成を示す図である。
【図２】この発明の実施の形態１に係る情報提供システムが適用されたナビゲーションシステムを構成するナビゲーション装置の構成を示すブロック図である。
【図３】この発明の実施の形態１に係る情報提供システムが適用されたナビゲーションシステムで使用されるタイムスタンプ付き経路データの例を示す図である。
【図４】この発明の実施の形態１に係る情報提供システムが適用されたナビゲーションシステムのナビゲーション装置のコントローラの構成を示すブロック図である。
【図５】この発明の実施の形態１に係る情報提供システムが適用されたナビゲーションシステムの経路データ取得動作を示すフローチャートである。
【図６】この発明の実施の形態１に係る情報提供システムが適用されたナビゲーションシステムで使用者が感染者になった場合の動作を示すフローチャートである。
【図７】この発明の実施の形態１に係る情報提供システムが適用されたナビゲーションシステムで感染者の存在を知った場合の動作を示すフローチャートである。
【図８】この発明の実施の形態２に係る情報提供システムが適用されたナビゲーションシステムの構成を示す図である。
【図９】この発明の実施の形態２に係る情報提供システムが適用されたナビゲーションシステムの動作を示すフローチャートである。
【図１０】この発明の実施の形態３に係る情報提供システムが適用されたナビゲーションシステムの構成を示す図である。
【図１１】この発明の実施の形態３に係る情報提供システムが適用されたナビゲーションシステムで使用される場所・時間帯データの例を示す図である。
【図１２】この発明の実施の形態３に係る情報提供システムが適用されたナビゲーションシステムの場所・時間帯データを入力する動作を示すフローチャートである。
【図１３】この発明の実施の形態３に係る情報提供システムが適用されたナビゲーションシステムで場所・時間帯データの格納が広報された場合の動作を示すフローチャートである。
【発明を実施するための形態】
【００１１】
以下、この発明の実施の形態を、図面を参照しながら詳細に説明する。
実施の形態１．
図１は、この発明の実施の形態１に係る情報提供システムが適用されたナビゲーションシステムの構成を示す図である。このナビゲーションシステムは、ネットワーク１、複数のナビゲーション装置２および感染経路データベース３を備えている。ナビゲーション装置２は、この発明の「移動経路処理装置」に対応する。
【００１２】
ネットワーク１は、携帯電話網およびインターネットを含む。複数のナビゲーション装置２の各々は、タイムスタンプ付き経路データを格納可能に構成されており、ネットワーク１の携帯電話網を経由してインターネットに接続される。複数のナビゲーション装置２には、疫病に感染した感染者のナビゲーション装置および疫病に感染していない非感染者のナビゲーション装置が含まれる。ナビゲーション装置２の詳細は後述する。
【００１３】
感染経路データベース３は、この発明の「データベース」に対応し、感染経路データを格納している。この感染経路データベース３は、例えばサーバの一部として構成されており、ネットワーク１に含まれるインターネットに接続されている。
【００１４】
図２は、ナビゲーション装置２の構成を示すブロック図である。このナビゲーション装置２は、ＧＰＳ（Global Positioning System）受信機１１、操作機１２、時計機構１３、携帯電話機能部１４、経路データ記録装置１５、表示器１６およびコントローラ１７を備えている。
【００１５】
ＧＰＳ受信機１１は、当該ナビゲーション装置２の位置を計測し、位置情報としてコントローラ１７に送る。位置情報は、緯度情報と経度情報とから構成されている。操作機１２は、例えば操作ボタンまたはタッチパネルなどから構成されている。この操作機１２を操作することにより発生された操作情報は、コントローラ１７に送られる。
【００１６】
時計機構１３は、カレンダー機能および計時機能を有し、年月日時を計数する。この時計機構１３で計数された年月日時は、日時情報としてコントローラ１７に送られる。携帯電話機能部１４は、例えば携帯電話器から構成されており、当該ナビゲーション装置２を、ネットワーク１を構成する携帯電話網を経由してインターネットに接続する処理を実行する。
【００１７】
経路データ記録装置１５は、コントローラ１７から送られてくるタイムスタンプ付き経路データを格納する。この経路データ記録装置１５に格納されたタイムスタンプ付き経路データは、コントローラ１７によって読み出される。図３は、経路データ記録装置１５に格納されるタイムスタンプ付き経路データの例を示す図である。タイムスタンプ付き経路データは、年月日時からなるタイムスタンプと、位置情報とから構成されている。
【００１８】
表示器１６は、例えばＬＣＤ（Liquid Crystal Display）から構成されており、コントローラ１７から送られてくる表示データに従って文字または絵などを表示する。コントローラ１７は、ナビゲーション装置２の全体を制御する。
【００１９】
図４は、コントローラ１７の構成を示すブロック図である。このコントローラ１７は、経路データ生成部２１、入力処理部２２、通信処理部２３、経路比較部２４および表示処理部２５を備えている。
【００２０】
経路データ生成部２１は、ＧＰＳ受信機１１から取得した位置情報に、時計機構１３から取得した日時情報を付加してタイムスタンプ付き経路データを生成し、経路データ記録装置１５に書き込む。入力処理部２２は、操作機１２から送られてくる操作情報に所定の処理を施し、通信処理部２３および表示処理部２５に送る。
【００２１】
通信処理部２３は、当該ナビゲーション装置２と、外部の感染経路データベース３との間で、携帯電話機能部１４およびネットワーク１を介して行われる通信を制御する。経路比較部２４は、通信処理部２３によって感染経路データベース３から取得されたタイムスタンプ付き経路データと、経路データ記録装置１５に記録されているタイムスタンプ付き経路データとを比較し、接近した状態の１つとして両者が一致する状態が存在するかどうかを判定する。この経路比較部２４における比較結果（判定結果）は、表示処理部２５に送られる。
【００２２】
表示処理部２５は、経路比較部２４における比較によって一致する状態が存在することが判断された場合に、その旨を表す警告メッセージを生成して表示器１６に送る。これにより、表示器１６に、警告メッセージが表示される。
【００２３】
次に、上記のように構成される、この発明の実施の形態１に係るナビゲーションシステムの動作を説明する。まず、経路データ取得動作を、図５に示すフローチャートを参照しながら説明する。
【００２４】
経路データ取得動作が開始されると、まず、位置情報が取得される（ステップＳＴ１１）。すなわち、コントローラ１７の経路データ生成部２１は、ＧＰＳ受信機１１から位置情報を取得する。次いで、日時が取得される（ステップＳＴ１２）。すなわち、経路データ生成部２１は、時計機構１３から日時情報を取得する。
【００２５】
次いで、タイムスタンプ付き経路データが格納される（ステップＳＴ１３）。すなわち、経路データ生成部２１は、ステップＳＴ１１においてＧＰＳ受信機１１から取得した位置情報と、ステップＳＴ１２において時計機構１３から取得した日時情報とを一対にして、図３に示すようなタイムスタンプ付き経路データを生成し、経路データ記録装置１５に書き込む。その後、シーケンスはステップＳＴ１１に戻り、上述した処理が所定の時間間隔、例えば１分間隔で繰り返される。これにより、経路データ記録装置１５には、図３に示すようなタイムスタンプ付き経路データが蓄積される。
【００２６】
次に、このナビゲーションシステムにおいて、ナビゲーション装置２の使用者が疫病に感染していることが判明した場合の動作を、図６に示すフローチャートを参照しながら説明する。
【００２７】
疾病の感染が判明すると、まず、ナビゲーション装置２の使用者または他の操作者は、ナビゲーション装置２の操作機１２を操作して、感染した旨を入力する（ステップＳＴ２１）。この操作機１２から入力された感染した旨の情報は、操作情報としてコントローラ１７の入力処理部２２に送られる。
【００２８】
次いで、感染経路データベースに接続される（ステップＳＴ２２）。すなわち、入力処理部２２は、感染した旨を示す操作情報を通信処理部２３に送り、通信処理部２３は、この操作情報に応答して、携帯電話機能部１４を介して、当該ナビゲーション装置２を、ネットワーク１を構成する携帯電話網を経由してインターネット上の感染経路データベース３に接続する。
【００２９】
次いで、経路データが取り出される（ステップＳＴ２３）。すなわち、コントローラ１７の通信処理部２３は、経路データ記録装置１５からタイムスタンプ付き経路データを取り出す。
【００３０】
次いで、経路データが感染経路データベースに送信される（ステップＳＴ２４）。すなわち、通信処理部２３は、ステップＳＴ２３において経路データ記録装置１５から取り出したタイムスタンプ付き経路データを、感染経路データとして、携帯電話機能部１４を介してネットワーク１上の感染経路データベース３に送信する。以上により使用者が疫病に感染していることが判明した場合の処理は終了する。
【００３１】
なお、使用者は、操作機１２から期間を入力し、通信処理部２３は、その入力された期間分の経路データのみを送信するように構成することができる。また、感染経路データベース３に感染経路データが格納された場合に、その旨を、テレビジョン放送またはラジオ放送などを通じて広報し、または、予めメールアドレスを登録した使用者に電子メールで通知するように構成することもできる。
【００３２】
次に、このナビゲーションシステムにおいて、疫病に感染した者の存在を知った使用者（非感染者）のナビゲーション装置２の動作を、図７に示すフローチャートを参照しながら説明する。
【００３３】
感染経路データベース３に感染経路データが格納された後に、その旨が、テレビジョン放送またはラジオ放送などを通じて広報され、または、電子メールで通知されると、感染経路データの取得が指示される（ステップＳＴ３１）。すなわち、操作者は、操作機１２を操作して、感染経路データの取得を指示する。
【００３４】
次いで、感染経路データベースに接続される（ステップＳＴ３２）。すなわち、入力処理部２２は、操作機１２から送られてきた感染経路データの取得を指示する操作情報を通信処理部２３に送り、通信処理部２３は、この操作情報に応答して、携帯電話機能部１４を介して、当該ナビゲーション装置２を、ネットワーク１を構成する携帯電話網を経由してインターネット上の感染経路データベース３に接続する。
【００３５】
次いで、感染経路データベースから感染経路データが取り出される（ステップＳＴ３３）。すなわち、コントローラ１７の通信処理部２３は、携帯電話機能部１４およびネットワーク１を介して感染経路データベース３から感染経路データを取り出す。
【００３６】
次いで、データ終了であるかどうかが調べられる（ステップＳＴ３４）。すなわち、ステップＳＴ３３において、感染経路データベース３から感染経路データを取り出すことができたかどうかを調べる。このステップＳＴ３４において、データ終了でない、つまり感染経路データを取り出すことができた場合は、その取り出された感染経路データは経路比較部２４に送られる。
【００３７】
次いで、感染経路データと経路データとが比較される（ステップＳＴ３５）。すなわち、経路比較部２４は、ステップＳＴ３３で取り出された感染経路データと、経路データ記録装置１５に記憶されている経路データとを比較する。
【００３８】
次いで、上記ステップＳＴ３５における比較の結果、場所が一致するかどうかが調べられる（ステップＳＴ３６）。すなわち、経路比較部２４は、感染経路データに含まれる緯度および経度と、経路データ記録装置１５に記憶されている経路データに含まれる緯度および経度とが一致するかどうかを調べる。このステップＳＴ３６において、場所が一致しないことが判断されると、シーケンスはステップＳＴ３３に戻り、次の感染経路データに対する処理が実行される。
【００３９】
一方、ステップＳＴ３６において、場所が一致することが判断されると、次いで、日時が一致するかどうかが調べられる（ステップＳＴ３７）。すなわち、経路比較部２４は、感染経路データに含まれる日時と、経路データ記録装置１５に記憶されている経路データに含まれる日時とが一致するかどうかを調べる。このステップＳＴ３７において、日時が一致しないことが判断されると、シーケンスはステップＳＴ３３に戻り、次の感染経路データに対する処理が実行される。
【００４０】
一方、ステップＳＴ３７において、日時が一致することが判断されると、ナビゲーション装置の使用者は濃厚接触者であると判定され、感染の疑い警告が表示される（ステップＳＴ３８）。すなわち、経路比較部２４は、表示処理部２５に感染の疑い警告を示すデータを送り、表示処理部２５は、表示器１６に、例えば「感染の疑いあり」という警告メッセージを表示するとともに、濃厚接触者と判定する根拠となった場所と日時を表示する。その後、処理は終了する。
【００４１】
この場合、図示しない地図記録装置に記憶されている地図データを用いて、場所を地図上に表示するように構成することができる。この構成によれば、感染者と接触した場所が分かり易いという効果を奏する。
【００４２】
上記ステップＳＴ３４において、データ終了である、つまり感染経路データを取り出すことができない場合は、全ての感染経路データに対する処理が終了したが、場所および日時の双方が一致する感染経路データおよび経路データが存在しない旨が認識され、感染無しが表示される（ステップＳＴ３９）。すなわち、経路比較部２４は、表示処理部２５に感染無しを示すデータを送り、表示処理部２５は、表示器１６に、例えば「感染無し」というメッセージを表示する。その後、処理は終了する。
【００４３】
以上説明したように、この発明の実施の形態１に係るナビゲーションシステムによれば、新型インフルエンザなどの疫病に対し早期に感染の可能性を知ることができ、また、早期に治療を受けることができる。また、発症前に感染の可能性が分かるので、感染の拡大（パンデミック）を防止することができる。
【００４４】
実施の形態２．
図８は、この発明の実施の形態２に係る情報提供システムが適用されたナビゲーションシステムの構成を示す図である。このナビゲーションシステムは、図１に示した実施の形態１に係るナビゲーションシステムに、感染疑い者情報データベース４が追加されて構成されている。
【００４５】
感染疑い者情報データベース４は、この発明の「他のデータベース」に対応し、感染の疑いがある者の情報を格納している。この感染疑い者情報データベース４は、ネットワーク１を構成するインターネットに接続されている。
【００４６】
次に、上記のように構成される、この発明の実施の形態２に係るナビゲーションシステムの動作を、図９に示すフローチャートを参照しながら説明する。
【００４７】
疾病の感染の疑いが判明すると、まず、ナビゲーション装置２の使用者は、ナビゲーション装置２の操作機１２を操作して、感染の疑いがある旨を入力する（ステップＳＴ４１）。この操作機１２から入力された感染の疑いがある旨の情報は、操作情報としてコントローラ１７の入力処理部２２に送られる。
【００４８】
次いで、感染疑い者情報データベースに接続される（ステップＳＴ４２）。すなわち、入力処理部２２は、感染疑いがある旨を示す操作情報を通信処理部２３に送り、通信処理部２３は、この操作情報に応答して、携帯電話機能部１４を介して、当該ナビゲーション装置２を、ネットワーク１を構成する携帯電話網を経由してインターネット上の感染疑い者情報データベース４に接続する。
【００４９】
次いで、感染疑い者の情報が入力される（ステップＳＴ４３）。すなわち、操作者は、操作機１２を用いて感染疑い者の情報を入力する。感染疑い者の情報は、例えば、住所、氏名、電話番号、勤務先または通学先、通勤または通学経路あるいは家族構成などから構成することができる。操作機１２から感染疑い者の情報が入力されると、入力処理部２２は、入力された感染疑い者の情報を表示処理部２５に送り、表示処理部２５は、受け取った感染疑い者の情報を表示器１６に表示する。これにより、操作者は、入力した情報を確認することができる。
【００５０】
次いで、感染疑い者情報ならびに一致した場所および日時が感染疑い者情報データベースに送信される（ステップＳＴ４４）。すなわち、入力処理部２２は入力された感染疑い者の情報を通信処理部２３に送り、通信処理部２３は、感染疑い者情報と、濃厚接触者と判定された場所と日時とを携帯電話機能部１４を介してネットワーク１上の感染疑い者情報データベース４に送信する。以上により処理は終了する。
【００５１】
以上の処理によって、感染疑い者情報データベース４に感染疑い者の情報が入力されると、例えば行政機関の操作者は、ナビゲーション装置２またはパーソナルコンピュータなどを使用し、感染疑い者の情報と、濃厚接触者と判定された場所および日時を閲覧することができる。
【００５２】
なお、上述した感染疑い者情報データベース４は、書き込みは一般の民間人が行うことがきるが、読み出しは個人情報保護のために、行政機関に限られるよう暗号化され、パスワードなどによってプロテクトされている。
【００５３】
また、上述した実施の形態２では、操作者が操作機１２から感染疑いを入力し、感染疑い者の情報を手動で入力するように構成したが、ナビゲーション装置２の所有者の情報を予め入力しておき、感染疑いが判定された場合に、コントローラ１７が自動で感染疑い者情報を感染疑い者情報データベース４に送信するように構成することもできる。
【００５４】
以上説明したように、この発明の実施の形態２に係るナビゲーションシステムによれば、行政機関は、新型インフルエンザなどに感染の疑いがある者の状況を把握することができるので、感染の拡大（パンデミック）を防止することができる。
【００５５】
実施の形態３．
図１０は、この発明の実施の形態３に係る情報提供システムが適用されたナビゲーションシステムの構成を示す図である。このナビゲーションシステムは、ネットワーク１、ナビゲーション装置２、場所・時間帯データベース５および入力装置６を備えている。ネットワーク１およびナビゲーション装置２の構成および動作は、上述した実施の形態１に係るナビゲーションシステムのそれらと同じである。なお、図１０は、ネットワーク１に１台のナビゲーション装置２のみが接続されている場合を示しているがネットワーク１に接続されるナビゲーション装置２の数は任意である。
【００５６】
場所・時間帯データベース５は、事件等が発生した場所および時間帯を示す場所・時間帯データを格納しており、ネットワーク１を構成するインターネットに接続されている。入力装置６は、場所・時間帯データベース５に場所・時間帯データを入力する。
【００５７】
図１１は、場所・時間帯データベース５に格納される場所・時間帯データの例を示す図である。場所・時間帯データは、事件等の種別、事件名、事故名または交通事故名の名称、発生状況データ、時間帯および位置情報から構成されている。時間帯は、事件等が発生した時間帯を表し、開始時刻と終了時刻とによって表されている。位置情報は、緯度と経度とで構成されている。緯度は、北端の緯度と南端の緯度とによって表されている。経度は、東端の経度と西端の経度とによって表されている。これら４個の地点で囲まれた４角形の範囲が、事件等が発生した場所である。
【００５８】
次に、上記のように構成される、この発明の実施の形態３に係るナビゲーションシステムの動作を説明する。まず、場所・時間帯データを入力する動作を、図１２に示すフローチャートを参照しながら説明する。
【００５９】
事件等が発生すると、場所および時間帯が入力される（ステップＳＴ５１）。すなわち、操作者は、入力装置６を操作し、事件等が発生した場所と時間帯を場所・時間帯データベース５に入力する。この際、事件等の種別、事件名、事故名または交通事故名および発生状況も入力される。その後、場所・時間帯データを入力する動作は終了する。
【００６０】
なお、場所・時間帯データベース５に場所・時間帯データが格納されると、その旨を、テレビジョン放送またはラジオ放送などを通じて広報し、または、予めメールアドレスを登録した使用者に電子メールで通知するように構成することもできる。
【００６１】
次に、このナビゲーションシステムにおいて、場所・時間帯データベース５に場所・時間帯データが格納され、その旨が、テレビジョン放送またはラジオ放送などを通じて広報され、または電子メールで通知された場合の動作を、図１３に示すフローチャートを参照しながら説明する。
【００６２】
事件等が広報されると、まず、場所・時間帯データの取得が指示される（ステップＳＴ６１）。すなわち、操作者は、操作機１２を操作して、場所・時間帯データの取得を指示する。
【００６３】
次いで、場所・時間帯データベースに接続される（ステップＳＴ６２）。すなわち、入力処理部２２は、経路データの取得を指示する操作情報を通信処理部２３に送り、通信処理部２３は、この操作情報に応答して、携帯電話機能部１４を介して、当該ナビゲーション装置２を、ネットワーク１を構成する携帯電話網を経由してインターネット上の場所・時間帯データベース５に接続する。
【００６４】
次いで、場所・時間帯データベースから場所・時間帯データが取り出される（ステップＳＴ６３）。すなわち、コントローラ１７の通信処理部２３は、携帯電話機能部１４を介して場所・時間帯データベース５から場所・時間帯データを取り出す。
【００６５】
次いで、データ終了であるかどうかが調べられる（ステップＳＴ６４）。すなわち、ステップＳＴ６３において、場所・時間帯データを取り出すことができたかどうかを調べる。このステップＳＴ６４において、データ終了でない、つまり場所・時間帯データを取り出すことができた場合は、その取り出された場所・時間帯データは経路比較部２４に送られる。
【００６６】
次いで、場所・時間帯データと経路データとが比較される（ステップＳＴ６５）。すなわち、経路比較部２４は、ステップＳＴ６３で取り出された場所・時間帯データと、経路データ記録装置１５に記憶されている経路データとを比較する。
【００６７】
次いで、上記ステップＳＴ６５における比較の結果、場所内であるかどうかが調べられる（ステップＳＴ６６）。すなわち、経路比較部２４は、経路データ記録装置１５に記憶されている経路データに含まれる緯度および経度によって示される地点が、場所・時間帯データに含まれる緯度および経度によって形成される４角形の中にあるどうかを調べる。このステップＳＴ６６において、場所が一致しないことが判断されると、シーケンスはステップＳＴ６３に戻り、次の場所・時間帯データに対する処理が実行される。
【００６８】
一方、ステップＳＴ６６において、場所が一致することが判断されると、次いで、時間帯内であるかどうかが調べられる（ステップＳＴ６７）。すなわち、経路比較部２４は、経路データのタイムスタンプ、すなわち経路データ記録装置１５に記憶されている経路データに含まれる日時が、場所・時間帯データに含まれる時間帯内であるかどうかを調べる。このステップＳＴ３７において、時間帯内でないことが判断されると、シーケンスはステップＳＴ３３に戻り、次の場所・時間帯データに対する処理が実行される。
【００６９】
一方、ステップＳＴ６７において、時間帯内であることが判断されると、ナビゲーション装置の使用者が目撃者の可能性がある旨が表示される（ステップＳＴ６８）。すなわち、経路比較部２４は、表示処理部２５に目撃者の可能性がある旨を伝達し、表示処理部２５は、表示器１６に、例えば「目撃者の可能性あり」というメッセージを表示するとともに、場所、日時、事件等の種別、事件名、事故名または交通事故名、発生状況を表示する。その後、処理は終了する。
【００７０】
この場合、図示しない地図記録装置に記憶されている地図データを用いて、場所を地図上に表示するように構成することができる。この構成によれば、目撃した場所が分かり易いという効果を奏する。
【００７１】
上記ステップＳＴ６４において、データ終了である、つまり場所・時間帯データを取り出すことができない場合は、全ての場所・時間帯データに対する処理が終了したが、場所内および時間帯内の双方が該当する場所・時間帯データおよび経路データが存在しない旨が認識され、目撃者の可能性がない旨が表示される（ステップＳＴ６９）。すなわち、経路比較部２４は、表示処理部２５に目撃者の可能性がない旨を伝達し、表示処理部２５は、表示器１６に、例えば「目撃者の可能性なし」というメッセージを表示する。その後、処理は終了する。
【００７２】
以上説明したように、この発明の実施の形態３に係るナビゲーションシステムによれば、事件等の目撃者である可能性が分かるので、事件の早期解決、事故の原因追及または交通事故の原因追及に利用することができる。
【００７３】
上述した実施の形態１〜実施の形態３に係るナビゲーションシステムでは、携帯電話網およびインターネットを含むネットワークを用いたが、携帯電話網を含まないインターネットのみのネットワークを用いることもできる。
【００７４】
また、上述した実施の形態１〜実施の形態３に係るナビゲーションシステムでは、ナビゲーション装置２は、携帯電話機能部１４を用いて携帯電話網を経由してインターネットに接続するように構成したが、携帯電話機能部１４の代わりに、インターネットに接続するためのインターネット接続機能部を備え、インターネットに直接に接続するように構成することができる。また、携帯電話機能部１４の代わりに、ＵＳＢ接続機能を備え、家庭内のパーソナルコンピュータにＵＳＢで接続し、パーソナルコンピュータからインターネットに接続するように構成することもできる。
【００７５】
また、上述した実施の形態１〜実施の形態３に係るナビゲーションシステムでは、経路を比較した結果を、感染の有無を警告するメッセージまたは目撃者の可能性の有無を表すメッセージを表示するように構成したが、音声出力装置を備え、これらのメッセージを音声で出力するように構成することもできる。また、メッセージを、通信網を介して他の離れた場所に送信するように構成することもできる。
【００７６】
なお、上述した実施の形態１〜実施の形態３に係るナビゲーションシステムでは、疫病、事件、事故または交通事故が発生した場合について説明したが、この発明は、これらの場合に限定されず、経路データを比較して結果をユーザに提供するように構成された種々の装置に適用できる。
【産業上の利用可能性】
【００７７】
この発明は、例えば新型インフルエンザなどの疫病に対し早期に対応するためのシステム、または、事件の早期解決、事故の原因追及または交通事故の原因追及に利用するシステムなどに利用できる。
【図１】
0005474075.tif 000002
【図２】
0005474075.tif 000003
【図３】
0005474075.tif 000004
【図４】
0005474075.tif 000005
【図５】
0005474075.tif 000006
【図６】
0005474075.tif 000007
【図７】
0005474075.tif 000008
【図８】
0005474075.tif 000009
【図９】
0005474075.tif 000010
【図１０】
0005474075.tif 000011
【図１１】
0005474075.tif 000012
【図１２】
0005474075.tif 000013
【図１３】
0005474075.tif 000014